(57)【要約】【課題】  キャップ本体から注出中栓の離脱がなく、容器口部に装着後中の圧力や温度に影響なく容器口部に注出中栓を残し、キャップ開封時にキャップ本体と注出中栓の共廻り現象がない液体容器用キャップを提供する。【解決手段】  キャップ本体と、筒状体の上方先端が外方に拡開するラッパ状に形成された注出中栓とからなる液体容器用キャップであって、キャップ本体の内面には、内方に突出して容器口部をシールする環状シール部が形成されており、キャップ本体頂部内面の係止突起より内方にインナーリングが形成されており、このインナーリングが、注出中栓のラッパ状先端部内周面または前記筒状体の内周面より内方に延びる内側フランジ部の上面に当接して注出中栓をシールする液体容器用キャップ。【選択図】    図１
2006193161.tif 000002
【特許請求の範囲】
【請求項１】
頂部と該頂部周縁から垂下し内周面に容器口部に螺合する螺条が形成されたスカートを
有するキャップ本体と、容器口部内周面と密着する筒状体と該筒状体の上部外周面から外
方に延びる外側フランジ部を有し、該筒状体の上方先端が外方に拡開するラッパ状に形成
された注出中栓とからなる液体容器用キャップであって、
前記キャップ本体の前記頂部と前記スカートとのコーナー部内面には、内方に突出して
容器口部をシールする環状シール部が形成されており、
前記環状シール部には、容器口部の外側先端をシールする環状のアウターリングが形成
されており、
前記環状シール部より、径方向内方で容器口部への嵌合時に前記外側フランジ部上面と
接触する係止突部が形成されており、
前記頂部内面の前記係止突部より内方にインナーリングが形成されており、
前記インナーリングは、前記注出中栓のラッパ状先端部内周面または前記筒状体の内周
面より内方に延びる内側フランジ部の上面に当接して注出中栓をシールすることを特徴と
する液体容器用キャップ。
【請求項２】
前記インナーリングが二つのリングからなり、外側のインナーリングは前記注出中栓の
ラッパ状先端部内周面と当接し、内側のインナーリングは前記筒状体の内周面より内方に
延びる内側フランジ部の上面に当接して、協同して注出中栓をシールするようにされた請
求項１記載の液体容器用キャップ。
【請求項３】
前記注出中栓の前記外側フランジ部には、該フランジの外周面から外方に延びる環状ま
たは複数の突起が形成されるとともに、前記キャップ本体の前記環状シール部には、該環
状シール部内周面から内方に延びて該注出中栓の該環状または複数の突起を下方から支持
する環状または複数の凸部が形成されている請求項１または２記載の液体容器用キャップ
。
【発明の詳細な説明】
【技術分野】
【０００１】
本発明は、注出中栓が容器口部にしっかりと嵌着された状態でキャップの開閉が出来る
液体容器用キャップに関するものであって、より詳しくは、キャップ本体に注出中栓をセ
ットする段階での注出中栓の離脱がなく、使用時において、キャップ本体を容器口部から
取り外す時に注出中栓が同時に容器口部から外れてしまうことがなく、かつ、キャップ本
体、注出中栓ならびに容器本体の係合状態が極めて密封性に優れた液体容器用キャップに
関する。
【背景技術】
【０００２】
液体容器用キャップは、調味料、食用油及び飲料などを収容する容器に使用され、その
多くは、製作上及び素材コストの面から主にプラスチック製である。そして、このプラス
チック製の液体容器用キャップは、容器口部に強く螺着して液密としその状態を維持して
、更に注出中栓を備えて容器口部に嵌め込み、調味料等の液切れを良好にしている。さら
に、この液体容器用キャップには、タンパーエビデント機構を備え、一旦開封するとその
事実が残り、各種のいたずらを防止できるようにしているのも多く知られている。
【０００３】
下記特許文献１には、口栓付きキャップが開示されており、この口栓付きキャップは、
図５に示したように、容器III の口頸部に着脱自在に取着されたキャップ本体I とキャッ
プ本体内に内装された口栓IIとから構成されるものであり、キャップ本体I の頂板ｉから
垂設された封止筒壁ｂの先端を口栓のフランジ部ｅと当接させることにより使用時のキャ
ップ本体と口栓の密封性を担保しているものである。
使用前の状態では、容器口部をアルミ箔と樹脂フィルムを積層した複合シートａでシー
ルすることにより密封性を担保しており、キャップ開封後に、キャップ本体内に内装され
た口栓IIを取り外し、これを反転させて口栓IIとしての機能を持たせている。
【０００４】
【特許文献１】実公平７−２５３２９号公報
【発明の開示】
【発明が解決しようとする課題】
【０００５】
上記特許文献１の口栓付きキャップは、複合シートａで初期のシール性を維持している
が、使用時にキャップ本体を螺脱してから口栓を取り除き、さらに複合シートａを取り外
してから口栓を反転取付する必要があり、使用までの動作が多く煩雑であるばかりでなく
、中栓を手で持つため衛生的にも問題がある。また、使用後の仮シール性に関しては、封
止筒壁の先端を口栓のフランジ部と当接されるだけで担保しており、少々でもキャップ本
体の螺合がゆるんだ場合、すぐに仮シール性が損なわれる構造になっている。
【０００６】
そこで、本発明の目的は、初期のシール性と使用時の仮シール性が共に良好であり、使
用までの操作性が簡素化され、さらにキャップ本体に注出中栓のセット段階での注出中栓
の離脱がなく、容器口部に注出中栓を残した状態で、注出中栓の素材変形だけに頼らない
で、キャップ本体のみを容器口部から自在に螺脱及び螺着することが出来、且つ、その際
にキャップと注出中栓が共廻りを起こさない液体容器用キャップを提供することにある。
【課題を解決するための手段】
【０００７】
本発明は、上記目的を達成するために提案されたものであって、下記の構成からなるこ
とを特徴とするものである。
すなわち、本発明によれば、
頂部と該頂部周縁から垂下し内周面に容器口部に螺合する螺条が形成されたスカートを
有するキャップ本体と、容器口部内周面と密着する筒状体と該筒状体の上部外周面から外
方に延びる外側フランジ部を有し、該筒状体の上方先端が外方に拡開するラッパ状に形成
された注出中栓とからなる液体容器用キャップであって、
前記キャップ本体の前記頂部と前記スカートとのコーナー部内面には、内方に突出して
容器口部をシールする環状シール部が形成されており、
前記環状シール部には、容器口部の外側先端をシールする環状のアウターリングが形成
されており、
前記環状シール部より、径方向内方で容器口部への嵌合時に前記外側フランジ部上面と
接触する係止突部が形成されており、
前記頂部内面の前記係止突部より内方にインナーリングが形成されており、
前記インナーリングは、前記注出中栓のラッパ状先端部内周面または前記筒状体の内周
面より内方に延びる内側フランジ部の上面に当接して注出中栓をシールすることを特徴と
する液体容器用キャップが提供される。
【０００８】
また、本発明によれば、前記インナーリングが二つのリングからなり、外側のインナー
リングは前記注出中栓のラッパ状先端部内周面と当接し、内側のインナーリングは前記筒
状体の内周面より内方に延びる内側フランジ部の上面に当接して、協同して注出中栓をシ
ールするようにされた上記液体容器用キャップが提供される。
【０００９】
また、本発明によれば、前記注出中栓の前記外側フランジ部には、該フランジの外周面
から外方に延びる環状または複数の突起が形成されるとともに、前記キャップ本体の前記
環状シール部には、該環状シール部内周面から内方に延びて該注出中栓の該環状または複
数の突起を下方から支持する環状または複数の凸部が形成されている上記液体容器用キャ
ップが提供される。
【発明の効果】
【００１０】
本発明の液体容器用キャップは、容器口部に嵌合したキャップ本体と注出中栓が、高い
密封性を維持しつつ、キャップの開封時には注出中栓は容器口部にしっかりと嵌合されて
おりながら、キャップと注出中栓の係合状態はゆるやかになり、キャップと注出中栓が共
廻りをすることなく、容易にキャップの開閉操作を行うことができる。
かかる効果は、容器口部と注出中栓の嵌合状態を横方向のシール構成が担保し、キャッ
プ本体と注出中栓の嵌合状態を縦方向のシール構成が担保することによりもたらされる本
発明特有の効果である。
この際、キャップ本体と注出中栓の縦方向のシール構成は、キャップの頂部内面の係止
突部より内方に設けられたインナーリングと、注出中栓のラッパ状先端部内周面または前
記筒状体の内周面より内方に延びる内側フランジ部の上面に当接して行われるものであり
、このシール構成を併用することによって、キャップ開封前の密封性をより一層高めるこ
とができる。
【００１１】
また、本発明の液体容器用キャップは、容器口部へ注出中栓とキャップ本体をキャッピ
ングする際には、注出中栓とキャップ本体が予め組合わされた状態で行われるが、その際
に、注出中栓の外側フランジ部の外周面から外方に延びる環状または複数の突起が形成さ
れるとともに、キャップ本体の環状シール部に、注出中栓の上記突起を支持する環状また
は複数の突起を形成しておくことにより、キャップ本体と注出中栓はゆるむことなく係合
した状態で容器口部へのキャッピング操作に付されることができる。なお、このキャップ
と注出中栓の係合はキャッピング後に解離するものであり、キャップ本体と注出中栓の係
合状態がキャップ開封操作を阻害することはない。
つまり、本発明は、容器の開封前および開封後のリシール時には優れた密封性によって
内容物の品質保持に寄与し、キャップ開封時には、キャップ本体と注出中栓の密封状態が
簡単に解除される、即ち、インナーリングと中栓の密封は縦方向（上下方向）でのみ行わ
れているため、キャップと注出中栓が係合状態のまま共廻りをするようなことがなく、容
易にキャップの開閉操作を行うことができるという効果がある。
【発明を実施するための最良の形態】
【００１２】
以下に、図面を参照して本発明を実施するための最良の形態を説明する。
【実施例】
【００１３】
図１は本発明の液体容器用キャップを容器の口部に装着した状態の断面図、図２は他の
実施態様の注出中栓をキャップ本体に組み込んだ状態を示す断面図、図３は図２のキャッ
プと注出中栓を容器口部にキャッピングする途中の状態を示す断面図、図４は図３のキャ
ッピング状態を進めて容器口部に完全にキャッピングした状態を示す断面図である。
【００１４】
これらの図においては、頂部１５と該頂部周縁から垂下し内周面に容器口部に螺合する
螺条１２が形成されたスカート１４を有するキャップ本体１と、容器口部内周面と密着す
る筒状体２３と該筒状体の上部外周面から外方に延びる外側フランジ部２５を有し、該筒
状体の上方先端部２２が外方に拡開するラッパ状に形成された注出中栓２とからなる液体
容器用キャップを示しており、キャップ本体１の頂部１５とスカート１４とのコーナー部
内面には、内方に突出して容器口部３１をシールする環状シール部１０が形成されており
、この環状シール部１０には、容器口部３１の外側先端をシールする環状のアウターリン
グ１０ａが形成されている。また、環状シール部１０より、径方向内方で容器口部への嵌
合時に前記外側フランジ部２５上面と接触する係止突部１３が形成されており、頂部１５
内面の係止突部１３より内方にインナーリング１１が形成されている。
【００１５】
このインナーリング１１は、注出中栓のラッパ状先端部２２内周面または前記筒状体２
３の下方内周面より内方に延びる内側フランジ部２１の上面に当接して注出中栓をシール
するようにされている。つまり、本発明の技術的特徴は、容器口部と注出中栓のシール状
態は、環状シール部１０とそれに連接するアウターリング１０ａ、さらには筒状体２の外
周面が、容器口部を３方向からシールする、主として横方向のシールによって構成されて
いるものであり、このシール構成とは別に、キャップ本体と注出中栓のシール状態は、キ
ャップの頂部１５内面の係止突部１３より内方から垂下されるインナーリング１１が注出
中栓のラッパ状先端部２２内周面または前記筒状体２３の内周面より内方に延びる内側フ
ランジ部２１の上面に当接して、縦方向のシールによって構成されている点にある。  
【００１６】
この縦方向のシールを司るインナーリング１１は、注出中栓２のラッパ状先端部２２内
周面と当接するか、筒状体２３の内周面より内方に延びる内側フランジ部２１の上面に当
接するかのいずれでも良いが、好ましくは、インナーリング１１が二つのリングからなり
、外側インナーリング１１ｂは注出中栓２のラッパ状先端部２２内周面と当接し、内側イ
ンナーリング１１ａは筒状体２３の内周面より内方に延びる内側フランジ部２１の上面に
当接して、協同して注出中栓をシールするようにすれば、より一層、容器の密封性を高め
ることができ、しかも、開封に際しては、両形態ともに開封操作を阻害することは全くな
い。
【００１７】
上記キャップ本体１と注出中栓２を容器口部３１にキャッピングする際には、キャップ
本体１と注出中栓２を別々に容器口部３１に嵌合したのでは、作業効率が悪いばかりでな
く、嵌合作業の安定性の面でも好ましくないため、キャップ本体１と注出中栓２は予め係
合した状態で容器口部３１に挿入される。
本発明においては、注出中栓２の外側フランジ部２５の外周面から外方に延びる環状ま
たは複数の突起２６を形成するとともに、キャップ本体１の環状シール部の内周面から内
方に延びて該注出中栓の該環状または複数の突起１６を形成して、上記注出中栓の突起２
６を下方から支持するようにしている。
【００１８】
これによって、キャップ本体１側の突起１６と注出中栓２側の突起２６の係合力により
、キャップ本体１と注出中２栓の係合体は、安定した状態で容器口部へキャッピング工程
に付される。このキャップ本体１と注出中２栓の係合状態は、キャッピングが完了すれば
解離され、キャップ本体１と注出中２栓の係合状態がキャップ開封時にキャップと注出中
栓が共廻りをするということはなくなる。
図１の左側はキャッピング工程途中のキャップ本体と注出中栓の係合状態をしましてお
り、図１の右側は、キャッピング工程が完了した時点のキャップ本体と注出中栓の状態を
示している。
【００１９】
前記容器３は、形状・材質ともに特に限定がないが、容器３の内容物が、通常、調味料
、食用油及び飲料などであることから、これらの用途に適したポリエチレン、ポリプロピ
レン、ポリエチレンテレフタレート或はガラスなどの材質が用いられ、形状はボトルタイ
プのものが一般的である。図示した例では、容器３は円筒形状のペットボトルを意図して
いる。
【００２０】
前記キャップ本体１は、そのスカート１４の外周面に軸方向にナールが形成され、最初
の開封時及び螺着脱時のすべり止めとして機能するようになっている。更にそのスカート
１４の下端に不正開封防止のタンパーエビデント機構４０を介在させてバンド４１を設け
てあり、このバンド４１とキャップ本体１とを一体構成としている。このタンパーエビデ
ント機構４０は、キャップ本体１のスカート１４とその下方のバンド４１とを易破断性の
つなぎリブ４２にて接続すると共に、スカート１４及びバンド４１にストッパー４３を設
けて、これらを螺着方向（閉栓方向）に同調回転させて、容器口部３１にキャップ本体１
を螺着（閉栓）し、逆に、キャップ本体１を螺脱方向（開栓ないし開封方向）に回転させ
れば、容器口部下方の段部３２にバンド４１を残してつなぎリブ４２を破断することにな
り、これによって不正開封が直ちにわかり、キャップ本体１を容器口部３１から螺脱（開
栓）することができるものである。
【００２１】
なお、前記キャップ本体１の環状シール部１０に連接されているアウターリング１０ａ
は、容器口部３１の上端部コーナーと側面に当接して容器口部とシールされるものである
から、その形状は、容器口部の上端部の形状に対応した鉤状に形成されていることが好ま
しい。容器口部３１は、上記アウターリング１０ａと注出中栓の筒状体外周面とで包み込
むようにシールするものである。
【００２２】
前記注出中栓２は、容器口部３１に嵌合されて、調味料等の液切れを良好にして液だれ
を防ぐためのものであり、その筒状体２３の上方に外側フランジ部２５が形成され、その
上方には、先端部２２がラッパ状に形成されている。
本発明においては、このラッパ状先端部２２の内周面あるいは筒状体２３の内周面より
内方に延びる内側フランジ部２１に、キャップ頂部１６から垂下するインナーリング１１
が当接してキャップ本体１と注出中栓の密封性を維持するようになっている。このインナ
ーリング１１を二つにして、ラッパ状先端部２２の内周面には外側インナーリング１１ｂ
を、また、上記フランジ部２１の上面には内側インナーリング１１ａを当接すると、キャ
ップ本体１と注出中栓２の密封性がよりすぐれたものになる。
【００２３】
次に、上記構成になる液体容器用キャップの利用方法について説明する。
まず、内容物である調味料等に適合する容器３並びにこれに対応した液体容器用キャッ
プを構成するキャップ本体１と注出中栓２を選択する。次に、キャップ本体１の下面から
内部に注出中栓２を押し込むと、注出中栓２の突起２６とキャップ本体の突起１６の変形
により簡単にキャップ本体１の環状シール部１０に係止することが出来、あとのキャッピ
ングラインでキャップ本体１から注出中栓２が脱落することがない。容器３内に内容物を
充填し、そのあとキャッピングラインで、注出中栓を係合させた容器口部３１にキャップ
本体１とバンド４１との一体物を強く螺着すると共に、それにより容器口部３１に注出中
栓２とキャップ本体１が嵌合して、液密とされる。
【００２４】
こうして得られた注出中栓とキャップ本体が被蓋された容器は、縦方向と横方向の異な
るシール構成により、優れた密封性を保持しながら、キャップの開封時には、キャップと
注出中栓が共廻りすることなく、簡単に開封操作が可能になる。
【００２５】
使用に際しては、キャップ本体１を開封方向に回すと、タンパーエビデント機構４０の
易破断性のつなぎリブ４２が切断され、容器口部３１からキャップ本体１を容易に外すこ
とができる。本発明においては、キャップ本体１と注出中栓２との密封性は、キャップ頂
部１６から垂下するインナーリング１１によってのみ保たれているために、キャップの開
封に伴って、キャップ本体１と注出中栓２との密封性は必然的に解消され、キャップの開
封に際して、キャップ本体１と注出中栓２が共廻りをすることはない。
【００２６】
以上、本発明の好適な態様を説明したが、具体的な構成はこれに限定されず、本発明の
要旨を逸脱しない範囲での変更や追加は適宜になし得ることは言うまでもない。
【産業上の利用可能性】
【００２７】
本発明の液体容器用キャップは、液体を収容する容器一般に利用可能であるが、キャッ
プ本体と注出中栓が共廻りをするような場合に利用可能性が極めて高くなる。
【図面の簡単な説明】
【００２８】
【図１】本発明の液体容器用キャップを容器の口部に装着した状態の断面図である。
【図２】本発明のキャップ本体と注出中栓の縦方向のシールを司る１本のインナーリングが注出中栓の筒状体の内周面より内方に延びるフランジ部の上面に当接している状態を示す断面図である。
【図３】図２のキャップと注出中栓を容器口部にキャッピングする途中の状態を示す断面図である。
【図４】図３のキャッピング状態を進めて容器口部に完全にキャッピングした状態を示す断面図である。
【図５】従来例の液体容器用キャップの断面図である。
【符号の説明】
【００２９】
１，I                     キャップ本体
１０                      環状シール部
１０ａ                    アウターリング
１１                      インナーリング
１１ａ                    内側インナーリング                              
１１ｂ                    外側インナーリング                              
１２                      キャップの螺条                                  
１３                      係止突部                                        
１４                      キャップのスカート
１５                      頂部                                            
１６                      突起                                            
２，II                    注出中栓                                        
２１                      内側フランジ部
２２                      ラッパ状先端部
２３                      筒状体
２５                      外側フランジ部
２６                      突起
３,III                    容器
３１                      容器口部
３２                      段部
４０                      タンパーエビデント機構
４１                      バンド
４２                      つなぎリブ
４３                      ストッパー
ａ                        複合シール
ｂ                        封止筒壁
ｃ                        口栓
ｄ                        取付筒壁
ｅ                        フランジ部
ｆ                        容器口傾部
ｇ，ｈ                    螺条                                            
ｉ                        頂板
【図１】
2006193161.tif 000003
【図２】
2006193161.tif 000004
【図３】
2006193161.tif 000005
【図４】
2006193161.tif 000006
【図５】
2006193161.tif 000007